(57)【要約】コア固定部（３０）と、フライヤ部（２０）と、一対の絶縁シート（４）を分割コア（５）に固定する第二絶縁シート押圧部（１０）とを備え、第二絶縁シート押圧部（１０）は、絶縁シート（４）の外周側絶縁部（４ｏｕｔ）を、ヨーク部（５ｙ）の周方向側面（５ｙｓ）に押し当てる、ＸＹＺ方向に移動可能な一対の絶縁シート押圧板（１１ａ、１１ｂ）を備え、フライヤ部（２０）は、絶縁シート（４）の内周側絶縁部（４ｉｎ）を外周側に押圧して分割コア（５）に固定する第一絶縁シート押圧部（２２）を備える巻線装置（１００）を提供する。
2018011900.tif 000002
【特許請求の範囲】
【請求項１】
分割コアを固定するコア固定部と、
前記分割コアのティース部の周方向両側面に装着された一対の絶縁シートを介して電線を巻回してコイルを形成するフライヤアームを有するフライヤ部と、前記絶縁シートを前記分割コアに固定する第二絶縁シート押圧部とを備え、
前記第二絶縁シート押圧部は、前記絶縁シートのうち、前記分割コアの前記ティース部の、ヨーク部側の付け根から、前記分割コアの周方向に曲げられて突出する外周側絶縁部を、前記ヨーク部の周方向側面に押し当てる、ＸＹＺ方向に移動可能な一対の絶縁シート押圧板を備え、
前記フライヤ部は、前記フライヤアームの回転軸と同軸に進退可能であり、前記コア固定部に固定された前記分割コアの前記ティース部の内周面上に折り曲げられた前記絶縁シートの内周側絶縁部を前記分割コアの外周側に押圧して前記分割コアに固定する第一絶縁シート押圧部を備える巻線装置。
【請求項２】
前記第一絶縁シート押圧部の前記分割コア側の先端の、前記絶縁シートの内周側絶縁部を前記分割コアの外周側に押圧するシート固定部は、ベアリングを介して前記第一絶縁シート押圧部の本体に回転自在に装着されている請求項１に記載の巻線装置。
【請求項３】
前記絶縁シート押圧板の前記分割コア側の先端は、前記ヨーク部の周方向側面に沿うように構成されている請求項１又は請求項２に記載の巻線装置。
【請求項４】
ティース部の周方向両側面に一対の絶縁シートを装着した分割コアを固定する分割コア固定工程と、
前記絶縁シートのうち、前記ティース部の内周側先端から、周方向に突出する内周側絶縁部の外周側の面を前記分割コアより内周側に押し曲げる移動工程と、
２つの前記内周側絶縁部を前記ティース部の内周面上に折りたたむ絶縁シート折りたたみ工程と、
前記絶縁シート折りたたみ工程により折りたたまれた前記内周側絶縁部を、前記分割コアの外周側に押圧する第一絶縁シート固定工程と、
前記絶縁シートのうち、前記分割コアの前記ティース部の、ヨーク部側の付け根から、前記分割コアの周方向に曲げられて突出する外周側絶縁部を、前記分割コアのヨーク部の周方向側面に押し当てて固定する第二絶縁シート固定工程と、
前記分割コアの前記ティース部にコイルを形成する巻線工程とを備えるコイルの巻線方法。
【発明の詳細な説明】
【技術分野】
【０００１】
この発明は、コア部材のティース部に絶縁シートを装着して巻線を施す巻線装置、及びコイルの巻線方法に関するものである。
【背景技術】
【０００２】
従来、固定子鉄心の軸心方向の両端に配設された一対の絶縁端板と固定子鉄心に形成されたスロット内に配設された絶縁シートとを介し、固定子鉄心の歯部に電線を集中巻線する集中巻固定子の巻線方法において、絶縁シートを、この絶縁シートの一端を一方の絶縁端板に形成された段部に押し付けて位置決めする巻線方法及び巻線装置が提案されている（例えば、特許文献１参照）。
【先行技術文献】
【特許文献】
【０００３】
【特許文献１】特開２００９−０６５８０１号公報
【発明の概要】
【発明が解決しようとする課題】
【０００４】
このような巻線方法及び巻線装置にあっては、絶縁シートをスロット内に沿って装着する際に、絶縁シートを上下方向に押圧するために、絶縁シートにたるみ、歪み、皺が発生する場合がある。絶縁シートのたるみ、歪み、皺は、コイルの整列性を低減させる要因となる。また、絶縁シートの周方向端部を固定することができないため、コイルの巻回時に絶縁シートを巻き込んで巻線不良が発生する可能性がある。【０００５】
この発明は、上記のような課題を解決するためになされたものであり、絶縁シートのたるみ、歪み、皺など、絶縁シートの装着不良に起因するコイルの巻線不良を低減させることができる、巻線装置、及びコイルの巻線方法を提供することを目的とする。
【課題を解決するための手段】
【０００６】
この発明に係る巻線装置は、
分割コアを固定するコア固定部と、
前記分割コアのティース部の周方向両側面に装着された一対の絶縁シートを介して電線を巻回してコイルを形成するフライヤアームを有するフライヤ部と、前記絶縁シートを前記分割コアに固定する第二絶縁シート押圧部とを備え、
前記第二絶縁シート押圧部は、前記絶縁シートのうち、前記分割コアの前記ティース部の、ヨーク部側の付け根から、前記分割コアの周方向に曲げられて突出する外周側絶縁部を、前記ヨーク部の周方向側面に押し当てる、ＸＹＺ方向に移動可能な一対の絶縁シート押圧板を備え、
前記フライヤ部は、前記フライヤアームの回転軸と同軸に進退可能であり、前記コア固定部に固定された前記分割コアの前記ティース部の内周面上に折り曲げられた前記絶縁シートの内周側絶縁部を前記分割コアの外周側に押圧して前記分割コアに固定する第一絶縁シート押圧部を備えるものである。【０００７】
この発明に係るコイルの巻線方法は、
ティース部の周方向両側面に一対の絶縁シートを装着した分割コアを固定する分割コア固定工程と、
前記絶縁シートのうち、前記ティース部の内周側先端から、周方向に突出する内周側絶縁部の外周側の面を前記分割コアより内周側に押し曲げる移動工程と、
２つの前記内周側絶縁部を前記ティース部の内周面上に折りたたむ絶縁シート折りたたみ工程と、
前記絶縁シート折りたたみ工程により折りたたまれた前記内周側絶縁部を、前記分割コアの外周側に押圧する第一絶縁シート固定工程と、
前記絶縁シートのうち、前記分割コアの前記ティース部の、ヨーク部側の付け根から、前記分割コアの周方向に曲げられて突出する外周側絶縁部を、前記分割コアのヨーク部の周方向側面に押し当てて固定する第二絶縁シート固定工程と、
前記分割コアの前記ティース部にコイルを形成する巻線工程とを備えるものである。
【発明の効果】
【０００８】
この発明に係る巻線装置、及びコイルの巻線方法によれば、絶縁シートの外周側絶縁部と内周側絶縁部を分割コアに確実に固定して巻線することにより、絶縁シートのたるみ、歪み、皺を抑制できるためコイルの整列性、占積率を向上できる。
【図面の簡単な説明】
【０００９】
【図１】この発明の実施の形態１に係る巻線装置の斜視図である。
【図２】この発明の実施の形態１に係るフライヤ部の斜視図である。
【図３】この発明の実施の形態１に係るフライヤ部の側面図である。
【図４】この発明の実施の形態１に係るコア固定部と、コア固定部に装着された絶縁シート及びインシュレータ付きの分割コアの斜視図である。
【図５】この発明の実施の形態１に係る絶縁シートの斜視図である。
【図６】この発明の実施の形態１に係る巻線方法のフロー図である。
【図７】この発明の実施の形態１に係る押圧板上昇工程後の巻線装置の要部拡大斜視図である。
【図８】この発明の実施の形態１に係る押圧板移動工程後の巻線装置の要部拡大斜視図である。
【図９】この発明の実施の形態１に係る絶縁シート折りたたみ工程後の巻線装置の要部拡大斜視図である。
【図１０】この発明の実施の形態１に係る第一絶縁シート固定工程後の巻線装置の要部拡大斜視図である。
【図１１】この発明の実施の形態１に係る絶縁シート押圧板退避工程後の巻線装置の要部拡大斜視図である。
【図１２】この発明の実施の形態１に係る第二絶縁シート固定工程後の巻線装置の要部拡大斜視図である。
【図１３】この発明の実施の形態１に係る巻線工程にある巻線装置の要部拡大斜視図である。
【図１４】この発明の実施の形態１に係る最終退避工程にある巻線装置の要部拡大斜視図である。
【図１５】この発明の実施の形態２に係る巻線装置の要部拡大上面図である。
【発明を実施するための形態】
【００１０】
実施の形態１．
以下、この発明の実施の形態１に係る巻線装置、及びコイルの巻線方法を図を用いて説明する。
本明細書において、特に断り無く「軸方向」、「周方向」、「径方向」、「内周側」、「外周側」、「内周面」、「外周面」、「内側」、「外側」というときは、コア固定部に固定された分割コアの「軸方向」、「周方向」、「径方向」、「内周側」、「外周側」、「内周面」、「外周面」、「内側」、「外側」をいうものとする。
図１は、巻線装置１００の斜視図である。
図２は、フライヤ部２０の斜視図である。
図３は、フライヤ部２０の側面図である。
図４は、コア固定部３０と、コア固定部３０に装着された絶縁シート４及びインシュレータ６ａ、６ｂ付きの分割コア５の斜視図である。
図５は、絶縁シート４の斜視図である。
図１に示すように、巻線装置１００は、一対の絶縁シート４を分割コア５に固定する絶縁シート押圧部１０（第二絶縁シート押圧部）と、電線を分割コア５に巻回するフライヤ部２０と、電線を巻回される分割コア５を固定するコア固定部３０とで構成されている。
【００１１】
絶縁シート押圧部１０は、絶縁シート４を分割コア５に押圧する一対の絶縁シート押圧板１１ａ、１１ｂと、絶縁シート押圧板１１ａ、１１ｂをＺ方向に動作させる直動ガイド１２ｚと直動動力１３ｚ、絶縁シート押圧板１１ａ、１１ｂをＸ方向に動作させる直動ガイド１２ｘと直動動力１３ｘ、絶縁シート押圧板１１ａ、１１ｂをＹ方向に動作させる直動ガイド１２ｙと直動動力１３ｙとで構成されている。
【００１２】
図４に示すように、分割コア５のＺ方向両端面には、インシュレータ６ａ、６ｂが装着されている。そして、ティース部５ｔの周方向両側面には、コ字形に折り曲げられた絶縁シート４が装着されている。図５に示す絶縁シート４のうち、ティース部５ｔの側面に沿う部分が、ティース側面絶縁部４ｔである。ティース部５ｔのヨーク部５ｙ側の付け根から、分割コア５を組み立てて固定子を構成した場合における周方向に曲げられて突出する部分が外周側絶縁部４ｏｕｔである。そして、ティース部５ｔの内周側先端から、分割コア５を組み立てて固定子を構成した場合における周方向に曲げられて突出する部分が内周側絶縁部４ｉｎである。
【００１３】
フライヤ部２０は、分割コア５に電線を繰り出してコイルを巻回するフライヤアーム２１と、絶縁シート４の内周側絶縁部４ｉｎを分割コア５の内周面に固定するプッシャ２２（第一絶縁シート押圧部）と、フライヤアーム２１及びプッシャ２２を個別にＸ方向に動作させる直動機構２３と、フライヤアーム２１を回転させる回転機構２４とで構成されている。また、図３に示すようにプッシャ２２は、先端にシート固定部２２ｋを備え、シート固定部２２ｋは、ベアリング２２ｂを介してプッシャ２２の本体に回転自在に装着されている。シート固定部２２ｋは、フライヤアーム２１の回転軸と同軸に設けられているので、フライヤアーム２１が回転しても、シート固定部２２ｋの位置は変わらない。
【００１４】
分割コア５は、ヨーク部５ｙの両端面の外周側の縁をＺ方向の両側からコア固定部３０の把持板３１ａ、３１ｂによって把持されて固定されている。更に、コア固定部３０は、図示しない固定装置によって、コイルの巻回中に動かないように固定されている。
【００１５】
インシュレータ６ａ、６ｂと絶縁シート４とは、接着によって固定されているが、それ以外の方法、例えば溶着等で固定されていてもよい。
【００１６】
次に、この発明に係るコイル巻線方法について説明する。
図６は、本実施の形態に係るコイル巻線方法のフロー図である。
まず、図１に示すように、インシュレータ６ａ、６ｂ、絶縁シート４を装着した分割コア５をコア固定部３０の把持板３１ａ、３１ｂにより上下から挟んで固定する（ステップＳ００１：分割コア固定工程）。
【００１７】
図７は、押圧板上昇工程後の巻線装置１００の要部拡大斜視図である。
次に、直動動力１３ｚにより、絶縁シート押圧板１１ａ、１１ｂを直動ガイド１２ｚに沿って上方（Ｚ＋方向）に、絶縁シート押圧板１１ａ、１１ｂが絶縁シート４の外周側絶縁部４ｏｕｔの内側に、周方向両側から配置されるように移動させる（ステップＳ００２：押圧板上昇工程）。
【００１８】
図８は、押圧板移動工程後の巻線装置１００の要部拡大斜視図である。
次に、直動動力１３ｘにより、絶縁シート押圧板１１ａ、１１ｂを直動ガイド１２ｘに沿ってＸ＋方向に、絶縁シート押圧板１１ａ、１１ｂが、絶縁シート４の内周側絶縁部４ｉｎの外周側の面を押しながら、ティース部５ｔの内側先端に沿うようにＸ＋方向（分割コア５の内周側）に移動させる（ステップＳ００３：押圧板移動工程）。このとき、絶縁シート押圧板１１ａ、１１ｂのＸ方向の位置は、分割コア５のティース部５ｔの内側先端を僅かにＸ＋側に越えた位置にあり、内周側絶縁部４ｉｎがティース部５ｔの先端の位置を越えて内周側に押し曲げられている。
【００１９】
図９は、絶縁シート折りたたみ工程後の巻線装置１００の要部拡大斜視図である。
次に、直動動力１３ｙにより、絶縁シート押圧板１１ａを直動ガイド１２ｙに沿ってＹ＋方向に、絶縁シート押圧板１１ｂを直動ガイド１２ｙに沿ってＹ−方向に、絶縁シート押圧板１１ａ、１１ｂ同士が互いに近づくように移動させる。このとき、絶縁シート押圧板１１ａ、１１ｂのティース部５ｔ側の先端が、それぞれティース部５ｔの内周面に沿うように移動し、２つの内周側絶縁部４ｉｎをティース部５ｔの内周面上に折りたたむ（ステップＳ００４：絶縁シート折りたたみ工程）。
【００２０】
図１０は、第一絶縁シート固定工程後の巻線装置１００の要部拡大斜視図である。
次に、プッシャ２２をによりコア固定部３０の方向（Ｘ−方向）に移動し、絶縁シート折りたたみ工程において絶縁シート押圧板１１ａ、１１ｂにより折りたたまれた、内周側絶縁部４ｉｎをティース部５ｔに対して、プッシャ２２のシート固定部２２ｋにより、分割コア５の外周側に向かって押圧して固定する（ステップＳ００５：第一絶縁シート固定工程）。
【００２１】
図１１は、絶縁シート押圧板退避工程後の巻線装置１００の要部拡大斜視図である。
次に、絶縁シート押圧板１１ａ、１１ｂを、それぞれＹ−、Ｙ＋方向に、絶縁シート押圧板１１ａと絶縁シート押圧板１１ｂとの間隔がティース部５ｔの内側先端の周方向の幅よりも広くなる程度に移動させる。このとき、内周側絶縁部４ｉｎは、依然としてプッシャ２２のシート固定部２２ｋにより、ティース部５ｔに固定されている（ステップＳ００６：絶縁シート押圧板退避工程）。
【００２２】
図１２は、第二絶縁シート固定工程後の巻線装置１００の要部拡大斜視図である。
次に、絶縁シート押圧板１１ａ、１１ｂをＸ−方向に、絶縁シート押圧板１１ａ、１１ｂが、それぞれ、絶縁シート４の外周側絶縁部４ｏｕｔを分割コア５のヨーク部５ｙの周方向側面５ｙｓに押し当てるまで移動させる。これにより、外周側絶縁部４ｏｕｔを分割コア５に固定する（ステップＳ００７：第二絶縁シート固定工程）。
【００２３】
図１３は、巻線工程にある巻線装置１００の要部拡大斜視図である。
次に、フライヤアーム２１を、回転機構２４により、図１２の矢印Ｒ方向に回転させて、分割コア５のティース部５ｔに電線７を巻回してコイルを形成する（ステップＳ００８：巻線工程）。このとき、プッシャ２２の本体と、シート固定部２２ｋとの間には、ベアリング２２ｂを備えるので、シート固定部２２ｋがフライヤアーム２１と共に回転することはない。
【００２４】
図１４は、最終退避工程にある巻線装置１００の要部拡大斜視図である。
巻線工程を終了したら、絶縁シート押圧板１１ａ、１１ｂを僅かにＸ＋方向に移動させた後、Ｚ−方向に移動させ、プッシャ２２を元の位置に退避させて分割コア５に対するコイルの巻線を終了する（ステップＳ００９：最終退避工程）。このとき、折りたたまれていた絶縁シート４の内周側絶縁部４ｉｎは、自然に開いてもとの形状に復帰する。
【００２５】
本発明の実施の形態１に係る巻線装置、及びコイルの巻線方法によれば、絶縁シート４の外周側絶縁部４ｏｕｔと内周側絶縁部４ｉｎを分割コア５に確実に固定して巻線することにより、絶縁シート４のたるみ、歪み、皺を抑制できるためコイルの整列性、占積率を向上できる。また、コイル巻回中にフライヤアーム２１から供給される電線７に絶縁シート４を巻き込むことがないのでコイルの巻線不良率を大幅に低減することができる。
【００２６】
実施の形態２．
以下、この発明の実施の形態２に係る巻線装置、及びコイル巻線方法を、実施の形態１と異なる部分を中心に説明する。
図１５は、本実施の形態に係る巻線装置２００の要部拡大上面図である。
絶縁シート押圧板２１１ａ、２１１ｂと、コア固定部３０と、プッシャ２２のシート固定部２２ｋの要部を描いている。
【００２７】
巻線装置２００と、実施の形態１の巻線装置１００との異なる部分は、絶縁シート押圧板２１１ａ、２１１ｂの形状である。図に示すように、絶縁シート押圧板２１１ａ、２１１ｂの分割コア５側の先端Ｓａ、Ｓｂは、分割コア５の周方向側面５ｙｓに沿うように構成されている。これにより、絶縁シート４を分割コア５の周方向側面５ｙｓに密着するように確実に固定することができるので、絶縁シート４に生じる、たるみ、歪み、皺を高度に抑制できる。
【００２８】
尚、本発明は、その発明の範囲内において、各実施の形態を自由に組み合わせたり、各実施の形態を適宜、変形、省略することが可能である。
【図１】
2018011900.tif 000003
【図２】
2018011900.tif 000004
【図３】
2018011900.tif 000005
【図４】
2018011900.tif 000006
【図５】
2018011900.tif 000007
【図６】
2018011900.tif 000008
【図７】
2018011900.tif 000009
【図８】
2018011900.tif 000010
【図９】
2018011900.tif 000011
【図１０】
2018011900.tif 000012
【図１１】
2018011900.tif 000013
【図１２】
2018011900.tif 000014
【図１３】
2018011900.tif 000015
【図１４】
2018011900.tif 000016
【図１５】
2018011900.tif 000017
【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
分割コアを固定するコア固定部と、
前記分割コアのティース部の周方向両側面に装着された一対の絶縁シートを介して電線を巻回してコイルを形成するフライヤアームを有するフライヤ部と、
前記絶縁シートを前記分割コアに固定する第一絶縁シート押圧部及び第二絶縁シート押圧部とを備え、
前記第一絶縁シート押圧部は、前記フライヤアームの回転軸と同軸に進退可能であり、前記コア固定部に固定された前記分割コアの前記ティース部の内周面上に折り曲げられた前記絶縁シートの内周側絶縁部を前記分割コアの外周側に押圧して前記分割コアに固定し、
前記第二絶縁シート押圧部は、前記絶縁シートのうち、前記分割コアの前記ティース部の、ヨーク部側の付け根から、前記分割コアの周方向に曲げられて突出する外周側絶縁部を、前記ヨーク部の周方向側面の両側から押し当てて固定する巻線装置。
【請求項２】
分割コアを固定するコア固定部と、
前記分割コアのティース部の周方向両側面に装着された一対の絶縁シートを介して電線を巻回してコイルを形成するフライヤアームを有するフライヤ部と、前記絶縁シートを前記分割コアに固定する第二絶縁シート押圧部とを備え、
前記第二絶縁シート押圧部は、前記絶縁シートのうち、前記分割コアの前記ティース部の、ヨーク部側の付け根から、前記分割コアの周方向に曲げられて突出する外周側絶縁部を、前記ヨーク部の周方向側面に押し当てる、ＸＹＺ方向に移動可能な一対の絶縁シート押圧板を備え、
前記フライヤ部は、前記フライヤアームの回転軸と同軸に進退可能であり、前記コア固定部に固定された前記分割コアの前記ティース部の内周面上に折り曲げられた前記絶縁シートの内周側絶縁部を前記分割コアの外周側に押圧して前記分割コアに固定する第一絶縁シート押圧部を備える巻線装置。
【請求項３】
前記第一絶縁シート押圧部の前記分割コア側の先端の、前記絶縁シートの内周側絶縁部を前記分割コアの外周側に押圧するシート固定部は、ベアリングを介して前記第一絶縁シート押圧部の本体に回転自在に装着されている請求項２に記載の巻線装置。
【請求項４】
前記絶縁シート押圧板の前記分割コア側の先端は、前記ヨーク部の周方向側面に沿うように構成されている請求項２又は請求項３に記載の巻線装置。
【請求項５】
ティース部の周方向両側面に一対の絶縁シートを装着した分割コアを固定する分割コア固定工程と、
前記絶縁シートのうち、前記ティース部の内周側先端から、周方向に突出する内周側絶縁部の外周側の面を前記分割コアより内周側に押し曲げる移動工程と、
２つの前記内周側絶縁部を前記ティース部の内周面上に折りたたむ絶縁シート折りたたみ工程と、
前記絶縁シート折りたたみ工程により折りたたまれた前記内周側絶縁部を、前記分割コアの外周側に押圧する第一絶縁シート固定工程と、
前記絶縁シートのうち、前記分割コアの前記ティース部の、ヨーク部側の付け根から、前記分割コアの周方向に曲げられて突出する外周側絶縁部を、前記分割コアのヨーク部の周方向側面に押し当てて固定する第二絶縁シート固定工程と、
前記分割コアの前記ティース部にコイルを形成する巻線工程とを備えるコイルの巻線方法。
【手続補正２】
【補正対象書類名】明細書
【補正対象項目名】０００６
【補正方法】変更
【補正の内容】
【０００６】
この発明に係る巻線装置は、
分割コアを固定するコア固定部と、
前記分割コアのティース部の周方向両側面に装着された一対の絶縁シートを介して電線を巻回してコイルを形成するフライヤアームを有するフライヤ部と、
前記絶縁シートを前記分割コアに固定する第一絶縁シート押圧部及び第二絶縁シート押圧部とを備え、
前記第一絶縁シート押圧部は、前記フライヤアームの回転軸と同軸に進退可能であり、前記コア固定部に固定された前記分割コアの前記ティース部の内周面上に折り曲げられた前記絶縁シートの内周側絶縁部を前記分割コアの外周側に押圧して前記分割コアに固定し、
前記第二絶縁シート押圧部は、前記絶縁シートのうち、前記分割コアの前記ティース部の、ヨーク部側の付け根から、前記分割コアの周方向に曲げられて突出する外周側絶縁部を、前記ヨーク部の周方向側面の両側から押し当てて固定するものである。
また、この発明に係る巻線装置は、
分割コアを固定するコア固定部と、
前記分割コアのティース部の周方向両側面に装着された一対の絶縁シートを介して電線を巻回してコイルを形成するフライヤアームを有するフライヤ部と、前記絶縁シートを前記分割コアに固定する第二絶縁シート押圧部とを備え、
前記第二絶縁シート押圧部は、前記絶縁シートのうち、前記分割コアの前記ティース部の、ヨーク部側の付け根から、前記分割コアの周方向に曲げられて突出する外周側絶縁部を、前記ヨーク部の周方向側面に押し当てる、ＸＹＺ方向に移動可能な一対の絶縁シート押圧板を備え、
前記フライヤ部は、前記フライヤアームの回転軸と同軸に進退可能であり、前記コア固定部に固定された前記分割コアの前記ティース部の内周面上に折り曲げられた前記絶縁シートの内周側絶縁部を前記分割コアの外周側に押圧して前記分割コアに固定する第一絶縁シート押圧部を備えるものである。
【国際調査報告】
2018011900.tif 000018
2018011900.tif 000019